(57)【特許請求の範囲】
【請求項１】
ケーシングロッドを地盤に圧入し、その後、地盤に圧入したケーシングロッドを地盤上に引き抜く削孔機と、地盤に圧入されたケーシングロッドに挿入された管体の後端部に当接する押えロッドとを備えた管体の抜け止め装置であって、前記削孔機がレール部と、このレール部に沿って移動するキャリッジと、キャリッジに一端部が取り付けられる給水配管と、この給水配管に連通するようにキャリッジに設けられるとともに前記ケーシングロッドが着脱自在に取り付けられるジョイントとを有し、前記給水配管に止水キャップを備えた分岐管を設け、この止水キャップを外して開口された分岐管の挿入孔を通じて前記押えロッドが前記ジョイントを挿通して、押えロッドの先端部が前記管体の後端部に当接するとともに、押えロッドの後端部が削孔機に固定される構成にしたことを特徴とする管体の抜け止め装置。
【請求項２】
前記レール部に嵌合して所定位置に固定されるストッパを設け、このストッパに前記押えロッドの後端部を当接させる構成にした請求項１に記載の管体の抜け止め装置。
【請求項３】
前記管体の先端部に固定されるアンカーを備えた請求項１または２に記載の管体の抜け止め装置。
【請求項４】
削孔機によりケーシングロッドを地盤に圧入した後、このケーシングロッドに管体を挿入し、この管体の後端部に押えロッドを当接させて管体の地盤上側への移動を規制した状態にして、削孔機によりケーシングロッドを地盤上に引き抜く管体の抜け止め方法であって、前記削孔機がレール部と、このレール部に沿って移動するキャリッジと、キャリッジに一端部が取り付けられる給水配管と、この給水配管に連通するようにキャリッジに設けられるとともに前記ケーシングロッドが着脱自在に取り付けられるジョイントとを有し、前記給水配管に止水キャップを備えた分岐管を設けておき、地盤に圧入したケーシングロッドに管体を挿入した後、前記止水キャップを外して前記分岐管の挿入孔を開口し、この挿入孔を通じて前記押えロッドを前記ジョイントに挿通させて、押えロッドの先端部を前記管体の後端部に当接させるとともに、押えロッドの後端部を削孔機に固定することにより、管体の地盤上側への移動を規制した状態にして、このケーシングロッドを前記ジョイントに取り付けて、次いで、キャリッジを後退移動させてケーシングロッドを地盤上に引き抜くようにしたことを特徴とする管体の抜け止め方法。
【請求項５】
前記レール部の所定位置にストッパを嵌合させて固定し、このストッパに前記押えロッドの後端部を当接させることにより、押えロッドの後端部を削孔機に固定する請求項４に記載の管体の抜け止め方法。
【発明の詳細な説明】
【技術分野】
【０００１】
本発明は、管体の抜け止め装置および方法に関し、さらに詳しくは、ケーシングロッドを地盤から引き抜く際に、ケーシングロッドに挿入した管体がケーシングロッドとともに引き抜かれることを、確実に防止できる管体の抜け止め装置および方法に関するものである。
【背景技術】
【０００２】
軟弱地盤を強化するために、外管と内管とからなる二重管を用いて地盤改良薬液を地盤に注入する工法が知られている。この地盤改良工法では、ケーシングロッドによって地盤を削孔した後、削孔に内設されたケーシングロッドに外管を挿入してからケーシングロッドを地盤上に引き抜いて、外管を地盤中に残して定着させた状態にする。次いで、この外管に内管を挿入して、内管を通じて地盤改良薬液を供給して、外管に設けた吐出口から地盤改良薬液を地盤に浸透注入させる。外管の先端部には、ケーシングロッドを引き抜く際にケーシングロッドとともに外管が引き抜かれないようにアンカーが設けられている。
【０００３】
このアンカーは種々のタイプが提案されている（例えば、特許文献１、２参照）。特許文献１では、外管外周側に広がるバネ翼（羽根部材）で形成されたアンカーが開示されている。特許文献２では、折りたたみ自在の羽根部材を有するアンカー（図１−Ａ参照）、錘を用いたアンカー（図１−Ｂ参照）、流体を注入して膨張する袋体を用いたアンカー（図１−Ｃ参照）が例示されている。引き抜き抵抗を大きくするには、外管外周側に広がる羽根部材を有するアンカーや膨張する袋体を用いたアンカーが優れている。
【０００４】
これらのアンカーを機能させるためには、まず、アンカーをケーシングロッドの先端から突出させて地盤中に露出させた状態にする必要がある。そこで、ケーシングロッドに外管を挿入した後、ケーシングロッドをある程度上方に引き上げることにより、外管の先端部に取り付けたアンカーをケーシングロッドの先端から突出させるようにしている。しかしながら、最初にケーシングロッドを上方に引き上げる段階では、アンカーは機能していないため、この時に外管がケーシングロッドとともに引き上げられてしまうことがあった。
【０００５】
また、水圧を利用してドレーン材の共上がり防止する装置が提案されている（特許文献３参照）。この装置では、地盤に打設したケーシング管の上に、水が充填される筒体等が設置される。ドレーン材を下方に加圧するには、筒体に充填された水の水圧を利用するので、十分な加圧力を得るためには、筒体を相応の容量にする必要がある。そのため、装置をコンパクト化するには不利であり、コンパクト化しようとすれば複雑な構造になる。さらに、水の充填量が足りなければドレーン材の共上がりを防止することができないため、安定性に欠けるという問題があった。
【先行技術文献】
【特許文献】
【０００６】
【特許文献１】特開平１−１３１７１５号公報
【特許文献２】特開２００５−４２４２６号公報
【特許文献３】特開平１０−１２１４５６号公報
【発明の概要】
【発明が解決しようとする課題】
【０００７】
本発明の目的は、ケーシングロッドを地盤から引き抜く際に、ケーシングロッドに挿入した管体がケーシングロッドとともに引き抜かれることを、確実に防止できる管体の抜け止め装置および方法を提供することにある。
【課題を解決するための手段】
【０００８】
上記目的を達成するため、本発明の管体の抜け止め装置は、ケーシングロッドを地盤に圧入し、その後、地盤に圧入したケーシングロッドを地盤上に引き抜く削孔機と、地盤に圧入されたケーシングロッドに挿入された管体の後端部に当接する押えロッドとを備えた管体の抜け止め装置であって、前記削孔機がレール部と、このレール部に沿って移動するキャリッジと、キャリッジに一端部が取り付けられる給水配管と、この給水配管に連通するようにキャリッジに設けられるとともに前記ケーシングロッドが着脱自在に取り付けられるジョイントとを有し、前記給水配管に止水キャップを備えた分岐管を設け、この止水キャップを外して開口された分岐管の挿入孔を通じて前記押えロッドが前記ジョイントを挿通して、押えロッドの先端部が前記管体の後端部に当接するとともに、押えロッドの後端部が削孔機に固定される構成にしたことを特徴とする。
【０００９】
ここで、前記レール部に嵌合して所定位置に固定されるストッパを設け、このストッパに前記押えロッドの後端部を当接させる構成にすることもできる。前記管体の先端部に固定されるアンカーを備えた構成にすることもできる。
【００１０】
本発明の管体の抜け止め方法は、削孔機によりケーシングロッドを地盤に圧入した後、このケーシングロッドに管体を挿入し、この管体の後端部に押えロッドを当接させて管体の地盤上側への移動を規制した状態にして、削孔機によりケーシングロッドを地盤上に引き抜く管体の抜け止め方法であって、前記削孔機がレール部と、このレール部に沿って移動するキャリッジと、キャリッジに一端部が取り付けられる給水配管と、この給水配管に連通するようにキャリッジに設けられるとともに前記ケーシングロッドが着脱自在に取り付けられるジョイントとを有し、前記給水配管に止水キャップを備えた分岐管を設けておき、地盤に圧入したケーシングロッドに管体を挿入した後、前記止水キャップを外して前記分岐管の挿入孔を開口し、この挿入孔を通じて前記押えロッドを前記ジョイントに挿通させて、押えロッドの先端部を前記管体の後端部に当接させるとともに、押えロッドの後端部を削孔機に固定することにより、管体の地盤上側への移動を規制した状態にして、このケーシングロッドを前記ジョイントに取り付けて、次いで、キャリッジを後退移動させてケーシングロッドを地盤上に引き抜くようにしたことを特徴とする。
【００１１】
ここで、前記レール部の所定位置にストッパを嵌合させて固定し、このストッパに前記押えロッドの後端部を当接させることにより、押えロッドの後端部を削孔機に固定することもできる。
【発明の効果】
【００１２】
本発明の抜け止め装置によれば、削孔機がレール部と、このレール部に沿って移動するキャリッジと、キャリッジに一端部が取り付けられる給水配管と、この給水配管に連通するようにキャリッジに設けられるとともにケーシングロッドが着脱自在に取り付けられるジョイントとを有しているので、押えロッドをジョイントに挿通させれば、押えロッドの先端部を、ケーシングロッドに挿入された管体の後端部に当接させることができる。そして、押えロッドの後端部を削孔機に固定される構成にしたので、押えロッドによって管体の地盤上側への移動が規制される。そのため、地盤に圧入されたケーシングロッドをジョイントに取り付けて、次いで、キャリッジを後退移動させてケーシングロッドを地盤上に引き抜くと、管体は地盤に残ったままでケーシングロッドのみを地盤上に引き抜くことができる。このようにして、ケーシングロッドに挿入した管体がケーシングロッドとともに引き抜かれることを確実に防止することができる。キャリッジの前進および後退移動に対して、押えロッドは何ら邪魔にならないので、ケーシングロッドの引き抜き作業を円滑に行なうことができる。
【００１３】
上記した本発明の管体の抜け止め装置を用いることにより、本発明の管体の抜け止め方法を実施することができる。それ故、ケーシングロッドを地盤から引き抜く際に、ケーシングロッドに挿入した管体をケーシングロッドとともに引き抜かれることを、従来に比してより確実に防止することができる。
【図面の簡単な説明】
【００１４】
【図１】本発明の抜け止め装置の全体概要を例示する説明図である。
【図２】キャリッジの内部構造を例示する説明図である。
【図３】押えロッドの前端部を例示する説明図である。
【図４】ストッパおよびロッドガイドを例示する説明図である。
【図５】ケーシングロッドを地盤に圧入する工程を例示する説明図である。
【図６】ケーシングロッドに外管を挿入する工程を例示する説明図である。
【図７】押えロッドを外管に当接させてセッティングする工程を例示する説明図である。
【図８】ケーシングロッドを引き抜く工程を例示する説明図である。
【図９】外管の先端部に固定したアンカーを作動させた状態を例示する説明図である。
【発明を実施するための形態】
【００１５】
以下、本発明の管体の抜け止め装置および方法を、外管と内管とからなる二重管を用いて地盤改良薬液を地盤に注入する場合を例にした実施形態に基づいて説明する。この実施形態では、外管が抜け止めされる管体になる。
【００１６】
図１、図２に例示するように本発明の抜け止め装置１は、削孔機２と、押えロッド９とを備えている。削孔機２はケーシングロッド１２を地盤に圧入し、その後、地盤に圧入したケーシングロッド１２を地盤上に引き抜くように機能する。押えロッド９は、地盤に圧入されたケーシングロッド１２に挿入された外管１３の地盤上側への移動を規制するように機能する。
【００１７】
削孔機２は、クローラ駆動の車台の上に設けられたボディ３に、一方向に延設されたレール部８と、レール部８に沿って移動するキャリッジ４とを有している。レール部８は、傾斜角度を変更可能にボディ３に取り付けられている。削孔機２にはさらに、ケーシングロッド１２を地盤に圧入する際に、ケーシングロッド１２をガイドする挿入ガイド部３ａが備わっている。
【００１８】
キャリッジ４には給水配管７の一端部が取り付けられている。給水配管７の他端部は給水源に接続されている。キャリッジ４には移動用モータ４ａが設置されていて、移動用モータ４ａの駆動軸に固定された歯車(ピニオン)が、レール部８に形成されたラックに噛み合う構造になっている。
【００１９】
キャリッジ４にはさらに、給水配管７に連通するように筒状のジョイント５が設けられている。ジョイント５の先端部は雌ネジになっていて、雄ネジになっているケーシングロッド１２の後端部が着脱自在に取り付けられるようになっている。ケーシングロッド１２の先端部は雌ネジになっていて、ケーシングロッド１２どうしが着脱自在に接続できるようになっている。したがって、必要な本数のケーシングロッド１２を接続して所望の長さにすることができる。尚、ジョイント５の先端部を雄ネジにして、ケーシングロッド１２の後端部を雌ネジ、先端部を雄ネジにすることもできる。
【００２０】
ジョイント５は、筒状軸方向に延びる軸心を中心にして回転駆動される。ジョイント５と給水配管７との間にはウォータスイベル６が介在している。そのため、ジョイント５が回転しても給水配管７が捩じれることはない。
【００２１】
この実施形態では、給水配管７に分岐管７ａが設けられている。分岐管７ａには給水源側、ジョイント５側およびジョイント５とは反対側に向かう３つの流路が設けられている。ジョイント５とは反対側に向かう流路には挿入孔７ｂが形成されている。即ち、挿入孔７ｂは、ジョイント５の延長線上に形成されていて、分岐管７ａには挿入孔７ｂを塞ぐ止水キャップ７ｃが設けられている。止水キャップ７ｃを外して開口された挿入孔７ｂを通じて、押えロッド９がジョイント５を挿通する構成になっている。
【００２２】
参考形態としては、押えロッド９をジョイント５に挿通させるには、このような分岐管７ａを設けるだけでなく他の構造を採用することもできる。例えば、給水配管７を、一般的な着脱ジョイントを介在させてウォータスイベル６に接続してもよい。この構造の場合は、着脱ジョイントで給水配管７をウォータスイベル６から分離させて、ウォータスイベル６から押えロッド９を挿入してジョイント５に挿通させる。
【００２３】
地盤に圧入されたケーシングロッド１２に挿入された外管１３の後端部には、この押えロッド９の先端部が当接するようになっている。この実施形態では、図３に例示するように押えロッド９の先端が、外管１３の後端部を覆うように外嵌される当接キャップ９ａになっている。押えロッド９と当接キャップ９ａとは別体にしてもよく、一体化してもよい。押えロッド９は互いの端部どうしが連結できる構造になっているので、必要本数を継ぎ足して必要な長さにすることができる。
【００２４】
押えロッド９の材質としては、一般炭素鋼、ハイテンション鋼等の金属、硬質樹脂等を用いることができる。押えロッド９の外径は、挿入孔７ｂ、ウォータスイベル６、ジョイント５を挿通できるサイズであり、例えば１５ｍｍ〜２３ｍｍ程度である。当接キャップ９ａは、押えロッド９と同様の材質を用いることができる。外管１３の材質としては、塩化ビニル等が用いられる。
【００２５】
当接キャップ９の外径は、ケーシングロッド１２の内径よりも小さく設定されていて、当接キャップ９ａはケーシングロッド１２の内部を円滑に通過できるようになっている。また、ケーシングロッド１２とジョイント５との着脱に支障が生じないように、当接キャップ９ａの仕様が決定されている。
【００２６】
押えロッド９の後端部は、削孔機２に着脱自在に固定されるようになっている。具体的には、図４に例示するようにレール部８のラックに嵌合して所定位置に固定されるブロック状のストッパ１０が設けられている。押えロッド９の後端部を、レール部８に固定されたストッパ１０に当接させることより削孔機２に固定される。
【００２７】
ストッパ１０は、レール部８のラックに嵌合する構造なので、ラックのピッチ単位で移動させることができ、必要な位置にストッパ１０を固定するには有利になっている。また、ストッパ１０のレール部８への着脱も容易に行なえる。押えロッド９の後端部を削孔機２に固定できれば、その他の構造を採用してもよい。
【００２８】
押えロッド９のずれや変形を防止するためには、図４に例示するようなロッドガイド１１を設けるとよい。ロッドガイド１１は、ストッパ１０と同様にレール部８のラックに嵌合して着脱自在になっている。ガイドロッド１１には押えロッド９を挿通させる貫通孔１１ｃが設けられている。このガイドロッド１１は、レール部８に嵌合するベース部１１ａと、ベース部１１ａに装着されるキャップ部１１ｂとからなる上下二分割構造になっている。貫通孔１１ｃは、ベース部１１ａとキャップ部１１ｂの合わせ面に形成されている。
【００２９】
また、レール部８の上面に長手方向に延びる溝を形成して、この溝に押えロッド９を嵌め込むようにすることもできる。即ち、例示したガイドロッド１１に代えて、レール部８の上面に延設した溝をガイドロッドとして機能させることもできる。
【００３０】
外管１３がケーシングロッド１２とともに地盤上側へ引き抜かれることなく、地盤中に定着させる管体の抜け止め方法は以下のとおりである。
【００３１】
まず、図５に例示するように、キャリッジ４をレール部８に沿って後退させてレール部８の後端部に配置にしてから、ケーシングロッド１２の先端部を挿入ガイド部３ａに挿入し、後端部をジョイント５に取り付ける。この状態で移動用モータ４ａを作動させて、キャリッジ４をレール部８に沿って前進移動させることにより、ケーシングロッド１２を地盤に圧入する。
【００３２】
この際には、ジョイント５を回転駆動することによりケーシングロッド１２を回転させながら地盤に圧入する。また、給水配管７から水を供給してジョイント５およびケーシングロッド１２の中空部を通じてケーシングロッド１２の先端から地盤に水を浸透させる。したがって、分岐管７ａの挿入孔７ｂは止水キャップ７ｃで塞がれた状態にする。供給される水によって地盤が緩むので削孔し易くする。
【００３３】
必要長さのケーシングロッド１２を地盤に圧入した後は、移動用モータ４ａを作動させて、キャリッジ４をレール部８に沿って後退移動させてレール部８の後端部に配置する。そして、図６に例示するように、ケーシングロッド１２の後端とキャリッジ４（ジョイント５）の前端との間から、外管１３をケーシングロッド１２に挿入する。外管１３は互いの端部どうしが連結できる構造になっているので、必要長さになるように順次、外管１３どうしを継ぎ足して、その先端がケーシングロッド１２の先端に到達するまで挿入させる。
【００３４】
次いで、ケーシングロッド１２を地盤から引き抜いて、外管１２を地盤中に定着させる。この際には、分岐管７ａの止水キャップ７ｃを外して挿入孔７ｂを開口させる。キャリッジ４はレール部８に沿って前進移動させてレール部８の先端部に配置する。
【００３５】
そして、図７に例示するように挿入孔７ｂを通じて押えロッド９をジョイント５に挿通させて、押えロッド９の先端部を外管１３の後端部に当接させる。この実施形態では当接キャップ９ａを用いて、押えロッド９の先端部を外管１３の後端部に安定的に当接させている。
【００３６】
押えロッド９の後端部は、レール部８の所定位置に嵌合して固定されたストッパ１０に当接させる。これにより、押えロッド９の後端部は削孔機２に固定されるので、外管１３は押えロッド９によって地盤上側への移動が規制された状態になる。そして、ケーシングロッド１２の後端部はジョイント５の先端部に螺合させて取り付ける。
【００３７】
次いで、図８に例示するように、キャリッジ４をレール部８に沿って後退移動させてケーシングロッド１２を地盤上に引き抜く。キャリッジ４を後退移動させる際に、障害になるロッドガイド１１は、順次、レール部８から取り外す。ケーシングロッド１２が複数本を継ぎ足して構成されている場合は、キャリッジ４をレール部８の先端部から後端部に１回移動させる（１ストローク）毎に、連結を解除して１本ずつ取り外す。
【００３８】
外管１３は押えロッド９によって地盤上側への移動が規制されているので、ケーシングロッド１２とともに地盤から引き抜かれることはない。しかも、従来のように先端部にアンカーを設けた外管１３では、アンカーが機能しない、最初にケーシングロッド１２を地盤上側に引き上げる段階であっても、外管１３は地盤上側に向かって移動することはなく地盤中に定着したままになる。このように本発明は、削孔機２を巧みに利用して、複雑な機構を用いることなくケーシングロッド１２に挿入した外管１３（管体）がケーシングロッド１２とともに引き抜かれることを確実に防止できる。押えロッド９および当接キャップ９ａは、キャリッジ４の前進および後退移動の邪魔にならない。そのため、ケーシングロッド１２の引き抜き作業を円滑に行なうには非常に有利になっている。
【００３９】
その後、地盤に定着させた外管１３には、内管を挿入する。次いで、この内管を通じて地盤改良薬液を供給して、外管１３に設けた吐出口から地盤改良薬液を地盤に浸透注入させる。
【００４０】
押えロッド９によって、外管１３の先端部のアンカーの有無に関わらず、外管１３の引き抜きを防止できるが、本発明の抜け止め装置１は、図９に例示するように外管１３の先端部に取り付けるアンカー１４を備えた仕様にすることもできる。尚、外管１３の先端部に設けるアンカー１４は、以下に例示する構造に限定されるものではない。
【００４１】
このアンカー１４は、外管１３の先端部に取り付けられるシリンダ１９と、シリンダ１９の後端に連結部２２を介して着脱自在に接続される注水パイプ２３と、注水パイプ２３を通じてシリンダ１９内に水Ｗを供給する水圧付与手段と、供給された水Ｗの水圧によってシリンダ１９内をシリンダ先端側に移動するピストン２０と、ピストン２０とともにシリンダ先端側に移動する押圧部材１６と、押圧部材１６により押圧されてシリンダ外周方向に広がる開閉羽根１５と、シリンダ１９内の水圧を検知する水圧センサとを備えている。シリンダ１９の所定位置にシリンダ１９内の水Ｗをシリンダ外部に流出させる拡径された流出部１９ａが設けられ、流出部１９ａを設けた位置にピストン２０が移動するまでに、開閉羽根１５をシリンダ外周方向に所定の開き角度で広げるように構成されている。シリンダ１９の先端に、押圧部材１６を上下に挟む一対の保持プレート１７が固定され、保持プレート１７には、支軸１８によって２枚の開閉羽根１５が回動可能に軸支されている。
【００４２】
この仕様にした場合は、地盤に圧入したケーシングロッド１２に外管１３を挿入して削孔Ｈの下端部にアンカー１４を配置した後、アンカー１４を機能ささせる。そのため、水圧付与手段から注水パイプ２３を通じてシリンダ１９内に水Ｗを供給する。供給された水Ｗの水圧によってピストン２０とともに押圧部材１６がシリンダ１９の先端側に移動する。押圧部材１６が移動する際に、ガイド突起１６ａがガイド穴１７ａに沿って移動する。シリンダ１９の先端側に移動する押圧部材１６は、一対の開閉羽根１５をかき分けるように前進する。この押圧部材１６により開閉羽根１５が押圧されると、それぞれの支軸１８を中心にして回動してシリンダ１９外周方向に広がってアンカー機能を発揮する。
【００４３】
ピストン２０が流出部１９ａまで移動すると、シール部材２１と流出部１９ａとのすき間からシリンダ１９内の水Ｗがシリンダ１９外部に流出する。水Ｗの流出によりシリンダ１９内の水圧は低下し、この水圧の低下は水圧センサで検知される。そのため、ピストン２０が流出部１９ａまで移動して、開閉羽根１５が地盤中で所定の開き角度で広がったことを水圧センサによって把握することができる。
【００４４】
シリンダ１９内の水圧の低下を水圧センサで検知した後に、ケーシングロッド１２を地盤上に引き抜く。この時に、地盤中で所定の開き角度で広がった開閉羽根１５によって、外管１３は地盤中に強固に保持されているので、ケーシングロッド１２とともに外管１３が引き抜かれることがない。このように、外管１３の地盤上側への引き抜きを防止するために、押えロッド９とアンカー１４とを用いることもできる。
【００４５】
本発明は、傾斜して地盤に圧入したケーシングロッド１２（削孔Ｈ）に外管１３を挿入して地盤中に定着させる場合だけでなく、垂直に地盤に圧入したケーシングロッド１２（削孔Ｈ）に外管１３を挿入して地盤中に定着させる場合にも適用することができる。また、本発明は、地盤改良薬液注入用の外管１３を地盤中に定着させるだけでなく、他の工事に使用する管体を地盤中に定着させるために適用することができる。例えば、円筒型ドレーン工法において、円筒型ドレーン管を地盤中に定着させるために適用できる。
【符号の説明】
【００４６】
１  抜け止め装置
２  削孔機
３  ボディ
３ａ  挿入ガイド部
４  キャリッジ
４ａ  移動用モータ
５  ジョイント
６  ウォータスイベル
７  給水配管
７ａ  分岐管
７ｂ  挿入孔
７ｃ  止水キャップ
８  レール部
９  押えロッド
９ａ  当接キャップ
１０  ストッパ
１１  ロッドガイド
１１ａ  ベース部
１１ｂ  キャップ部
１１ｃ  貫通孔
１２  ケーシングロッド
１３  外管
１４  アンカー
１５  開閉羽根
１６  押圧部材
１６ａ  ガイド突起
１７  保持プレート
１７ａ  ガイド穴
１８  支軸
１９  シリンダ
１９ａ  流出部
２０  ピストン
２０ａ  凹溝
２１  シール部材
２２  連結部
２３  注水パイプ
【図１】
0005649164.tif 000002
【図２】
0005649164.tif 000003
【図３】
0005649164.tif 000004
【図４】
0005649164.tif 000005
【図５】
0005649164.tif 000006
【図６】
0005649164.tif 000007
【図７】
0005649164.tif 000008
【図８】
0005649164.tif 000009
【図９】
0005649164.tif 000010